(57)【要約】【課題】火災発生時に生じる戸先側框の反りを確実に防止できる建具を提供すること。【解決手段】建具１は、スライドプレート５１に固定されたロックピン５２と、戸先側縦枠１４に固定され、障子２０が閉鎖位置にある状態でロックピン５２の見込方向で障子２０が開く側（室外側）への移動を規制する切欠部１６３を有するロックピン受け金具１６と、戸先側縦枠１４に固定され、戸先側縦枠１４から戸先側縦框に向かって突出する受け面（片）９６２を有する反り防止受け金具９６と、スライドプレート５１に固定される反り防止金具９５と、を備え、切欠部１６３におけるロックピン５２の見込方向の移動を規制する範囲の長さＬ２よりも受け面９６２と反り防止金具９５が見込方向で重なる範囲の長さｄ２の方が長く構成される。【選択図】図１７
2019085820.tif 000002
【特許請求の範囲】
【請求項１】
枠体及び前記枠体に開閉可能に取り付けられる障子を備える建具であって、
前記障子の戸先側に位置する戸先側框と、
前記障子が閉鎖位置にある状態で前記戸先側框に対向する戸先側枠と、
前記戸先側框に配置され、前記戸先側框の長手方向でスライド移動可能なスライド部材と、
前記スライド部材に固定されたロック用突出部と、
前記戸先側枠に固定され、前記障子が閉鎖位置にある状態で前記ロック用突出部の見込方向で前記障子が開く側への移動を規制する保持部を有するロック用受け部材と、
前記戸先側枠に固定され、前記戸先側枠から前記戸先側框に向かって突出する片を有する受け金具と、
前記スライド部材に固定される係合金具と、
を備え、
前記保持部における前記ロック用突出部の見込方向の移動を規制する範囲の長さよりも前記片と前記係合金具が見込方向で重なる範囲の長さの方が長く構成される建具。
【請求項２】
前記ロック用突出部及び前記ロック用受け部材は複数配置され、
前記受け金具は、複数配置される前記ロック用受け部材の間に位置し、
前記係合金具は、複数配置される前記ロック用突出部の間に位置する請求項１に記載の建具。
【請求項３】
前記係合金具は、
前記スライド部材の見込面に固定される固定部と、
前記障子の閉鎖状態において前記固定部から前記戸先側枠に向かって突出する係合部と、
を有する請求項１又は２に記載の建具。
【請求項４】
前記スライド部材には前記係合金具を取り付けるための貫通孔が形成され、
前記係合金具は、
前記スライド部材の裏側に位置する固定部と
前記固定部から前記貫通孔を通じて戸先側に突出する係合部と、
を有する請求項１又は２に記載の建具。
【発明の詳細な説明】
【技術分野】
【０００１】
本発明は、開閉可能な障子を備える建具に関する。
【背景技術】
【０００２】
従来、建物の開口部に取り付けられる建具において、障子の戸先側に框体の長手方向に沿って移動可能なスライドプレートを配置し、該スライドプレートに固定されるロックピンを枠体側のロックピン受け金具に係合させて障子を閉鎖位置で固定する方式が知られている。この種の建具を開示するものとして例えば特許文献１や特許文献２がある。
【０００３】
特許文献１は、火災発生時に、開閉窓のロック機能が損なわれるのを遅延させるようにした開閉窓におけるロック装置に関するものである。特許文献１には、スライドプレートがアンロック位置に位置している状態での障子の開閉動作時に、ロックピンが出入するようにした進入溝、及び進入溝の奥部より屈曲するように連続し、ロックピンが進入することにより、障子の開戸を阻止するようにした係合溝を有するロック受け部材と、スライドプレートを跨ぐようにして框材に固着され、スライドプレートが框材から離間するのを防止するプレート離間防止部材とを備える構成について記載されている。
【０００４】
特許文献２は、窓枠に開閉可能に取付けられている障子が、火災発生時等に下降して、ロックが外れ、障子が開いたり脱落したりするのを防止しうるようにした開閉窓に関するものである。特許文献２には、縦框と縦枠における相互の対向面のいずれか一方に、係止ピンを突設するとともに、他方の対向面に、障子を閉戸したとき係止ピンが進入可能な上下方向を向く係止溝を有する下降防止プレートを取付け、ロック状態において障子が下降したとき、障子とともに下降する係止ピンの下端が下降防止プレートの係止溝の下縁に当接するか、又は障子とともに下降する下降防止プレートの係止溝の上縁が係止ピンの上端に当接することにより、ロックピンが係合溝より離脱するのを阻止するようにした開閉窓について記載されている。
【先行技術文献】
【特許文献】
【０００５】
【特許文献１】特開２０１３−２２１２７５号公報
【特許文献２】特開２０１３−２２１２９０号公報
【発明の概要】
【発明が解決しようとする課題】
【０００６】
建物の開口部が大きくなると障子の長手方向も長くなるため、火災発生時に戸先側の框の中央付近に反りが生じ易くなってしまう。戸先側の框に反りが生じれば枠体との間に隙間が生じて室内外に火炎が貫通する原因にもなる。この点、従来技術では、火災発生時のスライドプレートやロックピンの離脱を防止しているものの、戸先側の框の反りに起因する隙間の発生を防止するという観点で改善の余地があった。
【０００７】
本発明は、火災発生時に生じる戸先側框の反りを確実に防止できる建具を提供することを目的とする。
【課題を解決するための手段】
【０００８】
本発明は、枠体（例えば、後述の枠体１０）及び前記枠体に開閉可能に取り付けられる障子（例えば、後述の障子２０）を備える建具（例えば、後述の建具１）であって、前記障子の戸先側に位置する戸先側框（例えば、後述の戸先側縦框３４）と、前記障子が閉鎖位置にある状態で前記戸先側框に対向する戸先側枠（例えば、後述の戸先側縦枠１４）と、前記戸先側框に配置され、前記戸先側框の長手方向でスライド移動可能なスライド部材（例えば、後述のスライドプレート５１，５１ａ）と、前記スライド部材に固定されたロック用突出部（例えば、後述のロックピン５２）と、前記戸先側枠に固定され、前記戸先側枠に固定され、前記障子が閉鎖位置にある状態で前記ロック用突出部の見込方向で前記障子が開く側への移動を規制する保持部（例えば、後述の切欠部１６３）を有するロック用受け部材（例えば、後述のロックピン受け金具１６）と、前記戸先側枠に固定され、前記戸先側枠から前記戸先側框に向かって突出する片（例えば、後述の受け面９６２）を有する受け金具（例えば、後述の反り防止受け金具９６）と、前記スライド部材に固定される係合金具（例えば、後述の反り防止金具９５）と、を備え、前記保持部における前記ロック用突出部の見込方向の移動を規制する範囲の長さ（例えば、後述の長さＬ２又は長さｄ２）よりも前記片と前記係合金具が見込方向で重なる範囲の長さ（例えば、後述の長さｄ２）の方が長く構成される建具に関する。
【０００９】
前記ロック用突出部及び前記ロック用受け部材は複数配置され、前記受け金具は、複数配置される前記ロック用受け部材の間に位置し、前記係合金具は、複数配置される前記ロック用突出部の間に位置することが好ましい。
【００１０】
前記係合金具は、前記スライド部材の見込面に固定される固定部（例えば、後述の固定部９５１）と、前記障子の閉鎖状態において前記固定部から前記戸先側枠に向かって突出する係合部（例えば、後述の係合部９５３）と、を有することが好ましい。
【００１１】
前記スライド部材（例えば、後述のスライドプレート５１ａ）には前記係合金具を取り付けるための貫通孔（例えば、後述の貫通孔９８）が形成され、前記係合金具は、前記スライド部材の裏側に位置する固定部（例えば、後述の固定部９５１）と前記固定部から前記貫通孔を通じて戸先側に突出する係合部（例えば、後述の係合部９５３）と、を有することが好ましい。
【発明の効果】
【００１２】
本発明の建具によれば、火災発生時に生じる戸先側框の反りを確実に防止できる。
【図面の簡単な説明】
【００１３】
【図１】本発明の一実施形態に係る建具を室外側から見た様子を示す図である。
【図２】本実施形態の建具の縦断面図である。
【図３】本実施形態の建具の横断面図である。
【図４】本実施形態の障子が開いた状態の建具を示す斜視図である。
【図５】本実施形態の建具が備える障子の上部を示す斜視図である。
【図６】本実施形態の上框の内部の構成を示す拡大縦断面図である。
【図７】本実施形態の戸先側縦框の内部の構成を示す斜視図である。
【図８】本実施形態の戸先側縦框の内部に配置される縦框芯材及び裏板を示す分解斜視図である。
【図９】本実施形態の戸先側縦框の内部の構成を示す横断面図である。
【図１０】本実施形態の戸先側縦框の下部を示す斜視図である。
【図１１】本実施形態の戸先側縦框の下部の内部の構成を示す拡大縦断面図である。
【図１２】本実施形態のスライドプレートに固定された反り防止金具及びその周囲を示す斜視図である。
【図１３】本実施形態のスライドプレート、反り防止金具及び裏板の取付状態を示す斜視図である。
【図１４】本実施形態の戸先側縦枠の内側の見込面を示す斜視図である。
【図１５】本実施形態の戸先側縦枠に固定された反り防止受け金具及びその周囲を示す斜視図である。
【図１６】本実施形態のスライドプレートの反り防止金具と戸先側縦枠の反り防止受け金具の位置関係を見込方向室内側から示した図である。
【図１７】本実施形態のスライドプレートの反り防止金具と戸先側縦枠の反り防止受け金具の位置関係を戸先側縦枠側から示した図である。
【図１８】本実施形態のロックピン受け金具の切欠部を戸先側縦枠側から示した拡大図である。と戸先側縦枠の反り防止受け金具の位置関係を戸先側縦枠側から示した図である。
【図１９】変形例のスライドプレートに固定された反り防止金具及びその周囲を示す斜視図である。
【発明を実施するための形態】
【００１４】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１５】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１６】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１７】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１８】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１９】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００２０】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００２１】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２２】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２３】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２４】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２５】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２６】
次に、障子２０の構成について説明する。障子２０は、ガラス２５と、ガラス２５を囲うように構成される框体３０と、を含むように構成される戸体である。
【００２７】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ-Ｅ（Ｌｏｗ Ｅｍｉｓｓｉｖｉｔｙ）ガラスで構成される。
【００２８】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２９】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００３０】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００３１】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３２】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３３】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３４】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３５】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３６】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３７】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３８】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３９】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００４０】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００４１】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４２】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４３】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４４】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４５】
また、枠体１０に開閉可能に吊り込まれる障子２０は、上枠１１と上框３１を接続するアーム部材６１によって所定以上開かないように開閉範囲が規制される。
【００４６】
次に、障子２０の外側の構成について説明する。図４は、本実施形態の障子２０が開いた状態の建具１を示す斜視図である。図４に示すように、障子２０の戸先側に配置されるスライドプレート５１には、ロックピン５２の他、シリンダ錠６０のデッドボルト６０３を突出するための開口部６０４や戸先側縦框３４の反りを防止するための反り防止金具９５等が配置される。これに対して戸先側縦枠１４にはスライドプレート５１に対応する構成として、上から順に、上側のロックピン５２が係合するロックピン受け金具１６、上側のデッドボルト６０３が挿入されるシリンダ錠固定金具１７、反り防止金具９５が係合する反り防止受け金具９６、下側のデッドボルト６０３が挿入されるシリンダ錠固定金具１７、下側のロックピン５２が係合するロックピン受け金具１６が配置される。
【００４７】
図５は、本実施形態の障子２０の上部を示す斜視図である。図６は、本実施形態の上框３１の内部の構成を示す拡大縦断面図である。図５及び図６に示すように、障子２０の上部には芯材連結金具７０が左右方向に２箇所配置される。
【００４８】
芯材連結金具７０は、水平方向に沿う第１面７０ａと上下方向に沿う第２面７０ｂを有する断面Ｌ字状の金属（例えば、スチール）製のプレート部材である。芯材連結金具７０は、台座部３１５の両端のそれぞれに計２個配置されている。本実施形態の台座部３１５は、その長手方向が上框３１の嵌合溝３１ｊの長手方向の全長より短い長さで構成されている。従って、台座部３１５の両端に配置される芯材連結金具７０は、上框３１の嵌合溝３１ｊの両側よりもやや中央側に位置する。そして、芯材連結金具７０は、その第１面７０ａが上框３１の嵌合溝３１ｊを跨って台座部３１５の上面に対面するとともに、第２面７０ｂが延出部３１ｆの室内側の面に対面した状態で上框３１に固定される。
【００４９】
芯材連結金具７０の第１面７０ａは、締結部材としてのネジ７０１，７０２によって見込方向で間隔をあけて２箇所締結される。第１面７０ａの室内側に締結されるネジ７０１は、上框３１の外側から中空部３１ｋに配置される室内側芯材３１３に締結される。ネジ７０１よりも室外側で締結されるネジ７０２は、台座部３１５を貫通した状態で中空部３１ｂに配置される上框芯材３１０に締結される。
【００５０】
芯材連結金具７０の第２面７０ｂは、締結部材としてのネジ７０３によって上框３１の外側から中空部３１ｉの室外側芯材３１２に締結される。本実施形態では、芯材連結金具７０の第２面７０ｂを上框３１に固定するためのネジ７０３の締結方向は見込方向（水平方向）になっており、第１面７０ａを上框３１に固定するためのネジ７０１，７０２の締結方向は上下方向となっている。
【００５１】
また、図５に示すように、上框３１と戸先側縦框３４によって構成される戸先側上部のコーナーと、上框３１と吊元側縦框３３によって構成される吊元側上部のコーナーと、のそれぞれの外隅には加熱発泡材９２が配置される。
【００５２】
戸先側上部に配置される加熱発泡材９２は、上框３１の嵌合溝３１ｊから戸先側縦框３４の嵌合溝３４ｊに跨るように配置されている。加熱発泡材９２における上框３１の嵌合溝３１ｊに納まる部分９２ａは、固定部材としてのネジ９２０によって上框３１に機械的に固定され、戸先側縦框３４の嵌合溝３４ｊに納まる部分９２ｂは、ネジ９２１によって戸先側縦框３４に機械的に固定される。
【００５３】
吊元側上部に配置される加熱発泡材９２は、上框３１の嵌合溝３１ｊから吊元側縦框３３の嵌合溝３３ｊに跨るように配置されている。加熱発泡材９２における上框３１の嵌合溝３１ｊに納まる部分９２ａが固定部材としてのネジ９２０によって機械的に固定され、吊元側縦框３３の嵌合溝３３ｊに納まる部分も同様にネジによって機械的に固定される。
【００５４】
また、戸先側上部に配置される加熱発泡材９２の室外側には室外側補強プレート４７が配置され、室内側には室内側補強プレート４８が配置される。
【００５５】
室外側補強プレート４７は、板状部材をＬ字状に切り取った金属部材であり、見付面に沿うように配置される。室外側補強プレート４７は、延出部３１ｆ，３４ｆの室内側で上框３１と戸先側縦框３４の接合面に跨っている。室外側補強プレート４７の上框３１に沿う部分が上框３１の中空部３１ｉの室外側芯材３１２にネジ４７１によって締結固定されるとともに、室外側補強プレート４７の戸先側縦框３４に沿う部分が戸先側縦框３４の中空部３４ｉの室外側芯材３１２に別のネジ４７１によって締結固定される。
【００５６】
室内側補強プレート４８は、コーナーに沿うように折り曲げられた断面Ｌ字状の金属部材であり、上框３１と戸先側縦框３４の接合面を延出部３１ｆ，３４ｆの見込面側で跨るように配置される。室内側補強プレート４８の上框３１に沿う部分が上框３１にネジ４８１によって締結固定されるとともに、戸先側縦框３４の見込面に沿う部分が戸先側縦框３４に別のネジ４８１によって締結固定される。
【００５７】
次に、障子２０の戸先側の構成について説明する。図７は、本実施形態の戸先側縦框３４の内部の構成を示す斜視図である。図７では、戸先側縦框３４が鎖線によって示されている。図８は、本実施形態の戸先側縦框３４の内部に配置される縦框芯材３４０及び裏板８６〜８９の形状を示す分解斜視図である。図９は、本実施形態の戸先側縦框３４の内部の構成を示す横断面図である。なお、縦框芯材３４０の各部において、見込方向室外側に位置する面を室外側面３４０ａ、見込方向室内側に位置する面を室内側面３４０ｂ、室外側面３４０ａと室内側面３４０ｂを吊元側で接続する面を接続面３４０ｃ、として以下説明する。
【００５８】
図７に示すように、戸先側縦框３４の戸先面には、室外側ハンドル５５及び室内側ハンドル５６の操作に連動してスライドプレート５１を上下させるハンドル機構５７の一部やシリンダ錠６０の一部等、ドアの機能部品が埋設される。戸先側縦框３４の戸先面には、各機能部品の取付位置に中空部３４ｂに連通する取付孔（図示省略）が形成されており、これらの取付孔に機能部品が挿入される。本実施形態のスライド部材としてのスライドプレート５１は、戸先側縦框３４の戸先側縦枠１４との対向面に設けられており、その見込面が戸先側縦枠１４の見込面に対向する。
【００５９】
ハンドル機構５７は、室外側ハンドル５５及び室内側ハンドル５６に連動する機構が内蔵される本体ケース５７１と、本体ケース５７１の戸先側の上側に配置される取付片５７２ａと、下側に取り付けられる取付片５７２ｂと、を含んで構成される。本体ケース５７１は、戸先側縦框３４に埋設された状態で、縦框芯材３４０の室外側面３４０ａ、室内側面３４０ｂ及び接続面３４０ｃに囲まれるＵ字の内側に相当する部分に位置する。取付片５７２ａ，５７２ｂは、何れも、本体ケース５７１から縦框芯材３４０の見込面に沿って上下方向に延びるように形成されており、戸先側縦框３４に埋設された状態で戸先側縦框３４の戸先面に対向する面を有する。
【００６０】
シリンダ錠６０は、デッドボルト６０３等の鍵操作に連動する機構が内蔵される本体ケース６０１と、本体ケース６０１の戸先側の上側に配置される取付片６０２ａと、下側に取り付けられる取付片６０２ｂと、を含んで構成される。本体ケース６０１は、戸先側縦框３４に埋設された状態で、縦框芯材３４０の室外側面３４０ａ、室内側面３４０ｂ及び接続面３４０ｃに囲まれるＵ字の内側に相当する部分に位置する。取付片６０２ａ，６０２ｂは、何れも、本体ケース６０１から上下方向に延びるように形成されており、戸先側縦框３４に埋設された状態で戸先側縦框３４の戸先面に対向する面を有する。
【００６１】
取付片５７２ａ，５７２ｂ及び取付片６０２ａ，６０２ｂに締結部材としてのネジ６１０が締結されることにより、本体ケース５７１，６０１が戸先側縦框３４に固定される。本実施形態では、戸先側縦框３４の中空部３４ｂには裏板８６〜８９が配置されており、ネジ６１０は戸先側縦框３４を貫通した状態で裏板８６〜８９に締結される。
【００６２】
図８に示すように、裏板８６〜８９は、何れも、縦框芯材３４０の内側で見付方向戸先側に位置する第１面８６ａ〜８９ａと、見込方向室外側に位置する第２面８６ｂ〜８９ｂと、を有する断面Ｌ字状の金属（例えば、アルミニウム）製の部材である。本実施形態では、戸先側縦框３４の中空部３４ｂに、上から順に、裏板８６、上側のシリンダ錠６０の本体ケース６０１、裏板８７、ハンドル機構５７の本体ケース５７１、裏板８８、下側のシリンダ錠６０の本体ケース６０１、裏板８９が並んでいる。
【００６３】
図９に示すように、裏板８６は、その第２面８６ｂが縦框芯材３４０の室外側面３４０ａにリベット６１１によって締結固定される。その他の裏板８７〜８９についても同様に、リベット６１１によって第２面８７ｂ〜８９ｂが縦框芯材３４０の室外側面３４０ａに締結固定される。リベット６１１によって縦框芯材３４０と裏板８７〜８９は一体的な構成となる。
【００６４】
本実施形態の中空部３４ｃの室外側の内壁には、上下方向に延びるリブ３４ｐが左右方向に間隔をあけて複数（本実施形態では３本）形成されている。縦框芯材３４０の室外輪の面に位置するリベット６１１の頭部は、リブ３４ｐの間に位置しており、リブ３４ｐ及び中空部３４ｃの内壁に干渉しない位置関係となっている。
【００６５】
上下のシリンダ錠６０及びハンドル機構５７は、裏板８６〜８９が固定された縦框芯材３４０が戸先側縦框３４の中空部３４ｂに挿入された状態で、それぞれの取付孔（図示省略）から戸先側縦框３４の内側に挿入される。上側のシリンダ錠６０は、その取付片６０２ａに締結されるネジ６１０が戸先側縦框３４を貫通して裏板８６の第１面８６ａの下端部に締結されるとともに、取付片６０２ｂに締結されるネジ６１０が戸先側縦框３４を貫通して裏板８７の第１面８７ａの上端部に締結される。
【００６６】
ハンドル機構５７は、その取付片５７２ａに締結されるネジ６１０が戸先側縦框３４を貫通して裏板８７の第１面８７ａの下端部に締結されるとともに、取付片５７２ｂに締結されるネジ６１０が戸先側縦框３４を貫通して裏板８８の第１面８８ａの上端部に締結される。下側のシリンダ錠６０は、その取付片６０２ａに締結されるネジ６１０が戸先側縦框３４を貫通して裏板８８の第１面８８ａの下端部に締結されるとともに、取付片６０２ｂに締結されるネジ６１０が戸先側縦框３４を貫通して裏板８９の第１面８９ａの上端部に締結される。
【００６７】
図１０は、本実施形態の戸先側縦框３４の下部を示す斜視図である。図１１は、本実施形態の戸先側縦框３４の下部の内部の構成を示す拡大縦断面図である。図１０に示すように、最も下側に配置される裏板８９にはシリンダ錠６０を締結するネジ６１０の他に芯材連結金具７１を締結するネジ７１３が締結される。
【００６８】
裏板８９は、縦框芯材３４０よりも下側に延び出ている（図７参照）。裏板８６〜８８は、その上下の端面が水平面に沿う形状となっているのに対し、裏板８９の下端面８９ｃは、戸先側に向かうに従って下側に向かうように傾斜する形状となっている。裏板８９の下端面８９ｃが、下框３２と戸先側縦框３４との接着面３００に沿うように傾斜していることにより、第１面８９ａの縦框芯材３４０よりも下側に延出する長さを大きく確保しつつ、下框３２の中空部３２ｂに入り込まない形状となっている。これによって、裏板８９が障害となることなく戸先側縦框３４と下框３２の端面の溶着作業を行うことができる。
【００６９】
本実施形態の芯材連結金具７１は、室内側で戸先側縦框３４の見込面に沿う第１面７１ａと、室外側で戸先側縦框３４の見付面（延出部３４ｆの室内側面）に沿う第２面７１ｂと、第１面７１ａと第２面７１ｂの間で嵌合溝３４ｊの形状に応じて屈曲する凹状部７１ｃと、を有する金属（例えば、スチール）製のプレート部材である。
【００７０】
芯材連結金具７１は、戸先側縦框３４の外側に配置された状態で、第１面７０ａがネジ７１１によって中空部３４ｋに配置される室内側芯材３１３に締結固定されるとともに、第２面７１ｂがネジ７１２によって中空部３４ｉに配置される室外側芯材３１２に締結固定される。また、芯材連結金具７１の凹状部７１ｃは、中空部３１ｂの裏板８９における縦框芯材３４０よりも下側に延び出ている部分にネジ７１３によって締結固定される。第１面７１ａ及び凹状部７１ｃを締結するネジ７１１，７１３の締結方向は左右方向となっており、第２面７１ｂを締結するネジ７１２の締結方向は見込方向となっている。
【００７１】
次に、スライドプレート５１に配置される反り防止金具９５及び戸先側縦枠１４に配置される反り防止受け金具９６について説明する。図１２は、本実施形態のスライドプレート５１に固定された反り防止金具９５及びその周囲を示す斜視図である。図１３は、本実施形態のスライドプレート５１、反り防止金具９５及び裏板９５５の取付状態を示す斜視図である。
【００７２】
図１２に示すように、反り防止金具９５は、スライドプレート５１の見込面に沿って延びる固定部９５１と、固定部９５１の上端から上方に向かうに従ってスライドプレート５１の見込面から離れるように傾斜する傾斜部９５２と、傾斜部９５２の上端から上下方向に沿って延びる係合部９５３と、係合部９５３からスライドプレート５１の見込面側に向かって水平方向に屈曲する屈曲部９５４と、から構成される。
【００７３】
反り防止金具９５は、その固定部９５１がスライドプレート５１の戸先側の見込面に締結部材としてのネジ９５６によって固定される。固定部９５１には、２本のネジ９５６が上下方向に間隔をあけて２箇所締結される。図１３に示すように、スライドプレート５１の裏側は凹状に形成されており、ネジ９５６を締結するための裏板９５５が配置される。本実施形態のスライドプレート５１は金属（例えば、アルミニウム材）製であり、裏板９５５も金属（例えば、スチール）製のものが用いられる。また、ネジ９５６は、スライドプレート５１が嵌合溝３４ｊに嵌合された状態で該嵌合溝３４ｊの底面に接触しない長さのものが用いられる。
【００７４】
次に、反り防止受け金具９６について説明する。図１４は、本実施形態の戸先側縦枠１４の内側の見込面を示す斜視図である。上下二カ所に配置されるロックピン受け金具１６は、何れも、戸先側縦枠１４の見込面に配置される設置部１６１と、設置部１６１によって支持される係合部１６２と、を備える。設置部１６１は、ネジ１６５によって中空部１４ｂの縦枠芯材１４０に固定される。係合部１６２には、下方が開放された切欠部１６３が形成される。
【００７５】
上述の通り、スライドプレート５１は、戸先側縦框３４の嵌合溝３４ｊに上下方向でスライド移動可能に配置されており、該スライドプレート５１が上下方向に移動することによってロックピン５２が上下動して切欠部１６３に係合又は切欠部１６３から離脱することにより、ロックピン受け金具１６とロックピン５２の係合・解除が行われる。室外側ハンドル５５又は室内側ハンドル５６を操作によってロックピン５２が切欠部１６３に入り込んだ位置がスライドプレート５１の係合位置となる。スライドプレート５１が係合位置にある状態では、障子２０を開こうとしてもロックピン５２が切欠部１６３の端面に見込方向で干渉し、障子２０が開こうとする動きが規制される。室外側ハンドル５５又は室内側ハンドル５６を操作によってロックピン５２が切欠部１６３から抜け出る解除位置までスライドプレート５１が下方に移動すると障子２０を開くことができる状態となる。
【００７６】
上下二カ所に配置されるシリンダ錠固定金具１７は、何れも、戸先側縦枠１４の見込面に配置される設置部１７１と、設置部１７１によって支持される係合部１７２と、を備える。設置部１７１は、ネジ１７５によって中空部１４ｂの縦枠芯材１４０に固定される。係合部１７２は開口を有する枠状に形成される。シリンダ錠６０の鍵操作を行うことによって本体ケース６０１からデッドボルト６０３が突出すると、該デッドボルト６０３はスライドプレート５１に形成される開口部６０４（図４参照）を貫通して係合部１７２の開口に入り込み、スライドプレート５１の移動を規制する状態となる。これによって障子２０が施錠された状態となる。
【００７７】
反り防止受け金具９６は、その高さが戸先側縦枠１４の上下方向の略中央に位置しており、障子２０が閉鎖位置にある状態においてハンドル機構５７の取付位置の近傍（やや下方）となっており、反り防止金具９５の取付位置の高さに対応している。
【００７８】
図１５は、本実施形態の戸先側縦枠に固定された反り防止受け金具９６及びその周囲を示す斜視図である。図１６は、本実施形態のスライドプレート５１の反り防止金具９５と戸先側縦枠１４の反り防止受け金具９６の位置関係を見込方向室内側から示した図である。図１７は、本実施形態のスライドプレート５１の反り防止金具９５と戸先側縦枠１４の反り防止受け金具９６の位置関係を戸先側縦枠１４側から示した図である。なお、図１６及び図１７では、障子２０が閉鎖している状態でスライドプレート５１が係合位置にある状態が示されている。
【００７９】
図１５に示すように、本実施形態の反り防止受け金具９６は、戸先側縦枠１４の見込面に配置される設置部９６１と、設置部９６１によって支持される受け面９６２と、を備える。
【００８０】
設置部９６１は、ネジ９６５によって戸先側縦枠１４の中空部１４ｂの縦枠芯材１４０に締結固定されており、矩形の板状に構成される。図１６に示すように、縦枠芯材１４０の吊元側の面には加熱発泡材９０ｃが配置されており、ネジ９６５は加熱発泡材９０ｃを貫通して縦枠芯材１４０に締結される。
【００８１】
受け面９６２は、設置部９６１の見込方向室外側の端部から見付方向吊元側に屈曲するように形成される。受け面９６２の上端部には上方向に進むに従って室外側に向かうように傾斜する傾斜部９６２ａが形成され、下端部には下方向に進むに従って室外側に向かうように傾斜する傾斜部９６２ｂが形成される。
【００８２】
障子２０が閉鎖位置にあり、かつ、スライドプレート５１が係合位置にある状態では、反り防止金具９５の係合部９５３に対して反り防止受け金具９６の受け面（係合部）９６２が室外側に位置している。即ち、反り防止金具９５と反り防止受け金具９６は、見込方向視で重なる位置関係となっている(図１６参照)。
【００８３】
図１７に示すように、ロックピン５２がロックピン受け金具１６の切欠部１６３に係合する係合位置（設定位置）から該切欠部１６３から離脱する離脱位置までの長さを長さｄ１とする。本実施形態のロックピン５２は、スライドプレート５１に固定される軸部５２１と、軸部５２１よりも径が大きな抜け止め部５２２と、を含んで構成されている（図１１参照）。なお、本実施形態では、軸部５２１が切欠部１６３に干渉する位置として設計された位置であり、切欠部１６３の奥側よりも手前側に軸部５２１が位置するようになっている。即ち、係合位置は切欠部１６３の最も奥側に位置しなければならないわけではない。
【００８４】
次に、ロックピン５２を保持する保持部としての切欠部１６３の形状とロックピンの係合関係について説明する。図１８は、本実施形態のロックピン受け金具１６の切欠部１６３を戸先側縦枠１４側から示した拡大図である。図１８に示すように、保持部としての切欠部１６３は、傾斜部１６３ａ、直線部１６３ｂ及び円弧部１６３ｃを有する。円弧部１６３ｃは、切欠部１６３の最も奥側に位置し、ロックピン５２の上方への移動を規制する部位である。直線部１６３ｂは、円弧部１６３ｃの室外側（障子２０が開く側）に位置し、ロックピン５２の軸部５２１の移動を見込方向で規制する。傾斜部１６３ａは、切欠部１６３の入口の室外側に位置し、直線部１６３ｂの下端部から下がるにつれて室外側に向かうように傾斜している。
【００８５】
切欠部１６３において、傾斜部１６３ａを除いた長さＬ１の範囲にロックピン５２の軸部５２１が位置する場合、障子２０が開こうとしても移動方向に直交する方向に延びる直線部１６３ｂによって軸部５２１の移動が確実に阻止される。上述の係合位置では、ロックピン５２の軸部５２１の中心が直線部１６３ｂの長さＬ２の範囲にある。ロックピン５２の軸部５２１が係合位置から長さＬ３移動すると傾斜部１６３ａに至ることなる。切欠部１６３の長さＬ２の範囲に位置する限り、直交する方向に延びる直線部１６３ｂによって軸部５２１の移動が阻止される。
【００８６】
これに対して反り防止金具９５と反り防止受け金具９６が見込方向で重なる範囲における上下方向の長さ（かかり代）を長さｄ２とする（図１７参照）。本実施形態では、反り防止金具９５と反り防止受け金具９６のかかり代の長さｄ２の方が上述の直線部１６３ｂの長さＬ２よりも長くなるように構成される。長さｄ２＞長さＬ２の関係が成立することにより、火災発生時の溶融等によって障子２０の戸先側が下がって軸部５２１の中心が傾斜部１６３ａの位置まで下がって直線部１６３ｂの長さＬ２の範囲から外れたとしても、かかり代の長さｄ２の範囲では、反り防止金具９５と反り防止受け金具９６によって障子２０の開きを確実に防止できるのである。
【００８７】
また、図１７に示すように、軸部５２１が切欠部１６３の内側に入り込んだ係合位置から切欠部１６３から離脱し、障子２０が開くときに傾斜部１６３ａを含めて切欠部１６３に干渉しない位置までの距離を長さｄ１とする。本実施形態では、この長さｄ１よりも長さｄ２の方が長くなるように、反り防止金具９５と反り防止受け金具９６の形状や取付位置が設定されている。即ち、長さｄ２＞長さｄ１の関係も成立している。これによって、障子２０の戸先側が長さＬ２よりも下がってロックピン５２がロックピン受け金具１６の係合が解除されかかった場合でも、反り防止金具９５と反り防止受け金具９６の係合によって障子２０の開きを防止できる。なお、通常の障子２０の開操作では、ハンドル機構５７によってスライドプレート５１が長さｄ２の範囲を超えるように下に移動するので、障子２０を開くときに反り防止金具９５と反り防止受け金具９６が干渉することはない。
【００８８】
以上説明した上記実施形態の構成によれば、以下のような効果を奏する。
建具１は、障子２０の戸先側に位置する樹脂製の戸先側縦框３４と、障子２０が閉鎖位置にある状態で戸先側縦框３４に対向する戸先側縦枠１４と、戸先側縦框３４に配置され、戸先側縦框３４の長手方向でスライド移動可能なスライドプレート５１と、スライドプレート５１に固定されたロックピン５２と、戸先側縦枠１４に固定され、障子２０が閉鎖位置にある状態でロックピン５２の見込方向で障子２０が開く側（室外側）への移動を規制する切欠部１６３を有するロックピン受け金具１６と、戸先側縦枠１４に固定され、戸先側縦枠１４から戸先側縦框に向かって突出する受け面（片）９６２を有する反り防止受け金具９６と、スライドプレート５１に固定される反り防止金具９５と、を備え、切欠部１６３における係合位置から傾斜部１６３ａに至るまでのロックピン５２の見込方向の移動を規制する範囲（直線部１６３ｂ）の長さＬ２よりも受け面９６２と反り防止金具９５が見込方向で重なる範囲の長さｄ２の方が長く構成される。
【００８９】
これにより、火災発生時に樹脂製の戸先側縦框３４に反りが生じたとしても、反り防止受け金具９６と反り防止金具９５が係合することにより、戸先側縦框３４がそれ以上反らなくなるので、反りに起因して障子２０と枠体１０の間に隙間が生じ、炎が室外側と室内側が貫通する事態の発生を確実に防止できる。また、火災発生時に障子２０の戸先側が下がってロックピン５２の位置が長さｄ１だけ下がってロックピン受け金具１６からロックピン５２が離脱しそうになっても、受け面９６２と反り防止金具９５が見込方向で重なる範囲における長手方向の長さｄ２の方が切欠部１６３の直線部１６３ｂの長さＬ２及び係合位置から切欠部１６３を離脱するまでの長さｄ１よりも長いので、障子２０の開きを防止又は遅らせることができる。また、外開きの建具１の場合、室外側に火炎源があると戸先側縦框３４が反り易くなって室外側と室内側が貫通し易くなるが、本実施形態の構成であれば、反り防止受け金具９６と反り防止金具９５によって戸先側縦框３４の反りを確実に防止できるので、より好適といえる。
【００９０】
また、本実施形態では、ロックピン５２及びロックピン受け金具１６は２箇所（複数）配置され、反り防止受け金具９６は、上下二箇所に配置されるロックピン受け金具１６の間に位置し、反り防止金具９５は、上下二箇所に配置されるロックピン５２の間に位置する。
【００９１】
これにより、火災発生時の戸先側縦枠１４や戸先側縦框３４において反りが生じ易い位置に反り防止金具９５及び反り防止受け金具９６が配置されることになるので、戸先側縦框３４の反りを早い段階でより確実に防止することができる。
【００９２】
また、本実施形態では、反り防止金具９５は、スライドプレート５１の見込面に固定される固定部９５１と、障子２０の閉鎖状態において固定部９５１から戸先側縦枠１４に向かって突出する係合部９５３と、を有する。
【００９３】
これにより、障子２０を開いたときに固定部９５１が反り防止受け金具９６の受け面９６２に干渉する事態を回避しつつ、火災発生時の障子２０の開きを防止する構成を実現できる。また、本実施形態では、スライドプレート５１が離脱位置に移動するときに固定部９５１が反り防止受け金具９６から離れる方向に移動することになるので、障子２０を開いたときの反り防止金具９５と反り防止受け金具９６の干渉をより確実に回避することができる。
【００９４】
このように、本実施形態では、上框３１に配置される芯材連結金具７０と、戸先側縦框３４に配置される芯材連結金具７１と、が異なる形状となっており、配置箇所に応じた好適な形状が採用されている。なお、上框３１において台座部３１５を省略又は嵌合溝３１ｊの台座部３１５のない部分に芯材連結金具７１を配置してもよいし、戸先側縦框３４にスライドプレート５１に干渉しない長さの台座部３１５を配置して芯材連結金具７０を配置する構成としてもよい。
【００９５】
上記実施形態では、室外側の中空部３４ａ及び室内側の中空部３４ｂのそれぞれにより、戸先側縦框３４の厚みが確保されており、スライドプレート５１が戸先側縦框３４の戸先面において見込方向略中央に位置する構成となっている。これによって火炎源が室外側又は室内側の何れにおいても、スライドプレート５１が戸先側縦框３４から離脱しにくい構成となっている。加えて、芯材連結金具７０，７１によって框体３０が室内側に分離が防止されている。このように、火災発生時でも強固に保持されるスライドプレート５１に反り防止金具９５が固定されているので、戸先側縦框３４の反りをより一層確実に防止できる構成が実現されている。
【００９６】
上記実施形態の変形例について説明する。なお、以下の説明において上記実施形態と共通又は同様の構成については同じ符号を付してその説明を省略する場合がある。
【００９７】
図１９は、変形例のスライドプレート５１ａに固定された反り防止金具９７及びその周囲を示す斜視図である。本変形例では、スライドプレート５１ａへの反り防止金具９７の固定方法が上記実施形態と異なっている。なお、反り防止金具９７の構成は上記実施形態の反り防止金具９５の構成と同様であり、固定部９５１と、傾斜部９５２と、係合部９５３と、屈曲部９５４と、から構成される。
【００９８】
図１９に示すように、変形例のスライドプレート５１ａには反り防止金具９７を取り付けるための貫通孔９８が別途形成される。反り防止金具９７は、係合部９５３が貫通孔９８から突出するようにスライドプレート５１ａの裏側にセットされる。反り防止金具９７は、スライドプレート５１ａの裏側に位置する固定部９５１がスライドプレート５１ａの表面からネジ９５６によって締結固定される。
【００９９】
即ち、変形例の建具１のスライドプレート５１ａには反り防止金具９７を取り付けるための貫通孔９８が形成され、反り防止金具９７は、スライドプレート５１ａの裏側に位置する固定部９５１と固定部９５１から貫通孔９８を通じて戸先側に突出する係合部９５３と、を有する。
【０１００】
この変形例の反り防止金具９７によっても、上記実施形態の反り防止金具９５と同様の効果を奏する。また、反り防止金具９７をスライドプレート５１ａに固定するための裏板９５５を用意する必要がなくなるので、シンプルな構成で戸先側縦框３４の反り防止を実現できる。また、スライドプレート５１ａに反り防止金具９７を固定する作業で、裏板を押さえながら締結作業を行う必要がなくなるので、作業工程の容易化も実現できる。
【０１０１】
以上、本発明の好ましい実施形態について説明したが、本発明は、上述の実施形態や変形例に制限されるものではなく、適宜変更が可能である。例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。また、本発明は、樹脂製の枠や框に限定されるわけではなく、アルミ等の金属製の枠及び框や、アルミ樹脂複合のサッシ等にも適用できる。また、上記実施形態では、ロックピン及びロックピン受け金具は、上下二箇所に配置されているがこの構成に限定されるわけではない。例えば、ロックピン及びロックピン受け金具が３個以上配置される構成としてもよい。
【０１０２】
また、上記実施形態では、勝手口ドアを本発明の建具の一例として説明したがこの構成に限定されるわけではなく、スイング式の開閉ドアや開閉窓等、障子を開閉する構成を備える種々の建具に本発明を適用することができる。
【符号の説明】
【０１０３】
１  建具
１０  枠体
１４  戸先側縦枠（戸先側枠）
１６  ロックピン受け金具（ロック用受け部材）
２０  障子
３４  戸先側縦框（戸先側框）
５１，５１ａ  スライドプレート（スライド部材）
５２  ロックピン（ロック用突出部）
９５，９７  反り防止金具（係合金具）
９６  反り防止受け金具（受け金具）
９８  貫通孔
１６３  切欠部（保持部）
９５１  固定部
９５３  係合部
９６２  受け面（片）
ｄ１  傾斜部１６３ａを含めて切欠部１６３に干渉しない位置までの距離を長さ
ｄ２  反り防止金具９５と反り防止受け金具９６が見込方向で重なる範囲における上下方向の長さ（かかり代）
Ｌ２  直線部の長さ
【図１】
2019085820.tif 000003
【図２】
2019085820.tif 000004
【図３】
2019085820.tif 000005
【図４】
2019085820.tif 000006
【図５】
2019085820.tif 000007
【図６】
2019085820.tif 000008
【図７】
2019085820.tif 000009
【図８】
2019085820.tif 000010
【図９】
2019085820.tif 000011
【図１０】
2019085820.tif 000012
【図１１】
2019085820.tif 000013
【図１２】
2019085820.tif 000014
【図１３】
2019085820.tif 000015
【図１４】
2019085820.tif 000016
【図１５】
2019085820.tif 000017
【図１６】
2019085820.tif 000018
【図１７】
2019085820.tif 000019
【図１８】
2019085820.tif 000020
【図１９】
2019085820.tif 000021